(57)【要約】【課題】外枠に対する内枠体の開閉動作を安定した状態で円滑に、かつ楽に行うことができるパチンコ遊技機を提供する。【解決手段】前面下部に腰板１６が張設された外枠２の一側に内枠体４が開閉自在に装着され、前記内枠体４を閉じた状態で該内枠体４の下端面が前記腰板１６の上端面と重合するように構成されたパチンコ遊技機１であって、前記腰板１６の上端面を跨ぐようにコ字形に形成したすべり部材１８を取付けるようにした。【選択図】　図４
2004081606.tif 000002
【特許請求の範囲】
【請求項１】
前面下部に腰板が張設された外枠の一側に内枠体が開閉自在に装着され、前記内枠体を閉じた状態で該内枠体の下端面が前記腰板の上端面と重合するように構成されたパチンコ遊技機であって、
前記腰板の上端面を跨ぐようにコ字形に形成したすべり部材を取付けたことを特徴とするパチンコ遊技機。
【請求項２】
前記内枠体の下端面に前記すべり部材と接触する当板を取付けたことを特徴とする請求項１記載のパチンコ遊技機。
【請求項３】
前記すべり部材は、腰板の上端面に添わせる水平板部と腰板の前後側を跨ぐように添わせる一対の挟持板部とにより断面コ字状に形成し、前記挟持板部及び水平板部にほぼ弧状に連続して膨出する畝状突部を形成したことを特徴とする請求項１又は２記載のパチンコ遊技機。
【請求項４】
前記当板は、前記すべり部材が接触する接触板部と前記内枠体に取着する取付板部とによりＬ字状に形成したことを特徴とする請求項２又は３記載のパチンコ遊技機。
【請求項５】
前記すべり部材を覆うように前記腰板の前面に飾り部材を設けたことを特徴とする請求項１乃至４のいずれかに記載のパチンコ遊技機。
【発明の詳細な説明】
【０００１】
【発明の属する技術分野】
本発明は、パチンコ遊技機に関し、特に外枠に対する内枠体の開閉動作を円滑に行い得るようにしたパチンコ遊技機に関するものである。
【０００２】
【従来の技術】
周知のように従来のパチンコ遊技機においては、各種遊技機器の点検や修理のため、外枠の前面一側に内枠体を開閉自在に取付けると共に、内枠体を閉じた状態で外枠の前面下部に張設された腰板の上端面と内枠体の下端面とが重合するように構成されていた。一方、内枠体の裏面には遊技盤取付枠を介して遊技盤が着脱自在に装着されており、さらに遊技盤の裏面には合成樹脂製の機構板が開閉自在に取付けられている。
【０００３】
ところで、上記した機構板には貯留球タンクやタンクレール或いはパチンコ球払出装置、さらにはこれらの電気的部品を駆動制御するための配電盤や電子回路基板等の裏機構が集約して組付けられており、しかも貯留球タンクに貯留されるパチンコ球の球重量によってかなり重いものである。また、最近のパチンコ遊技機は、遊技の興趣を高めるために、例えば電子回路によって駆動制御される大型の電動入賞装置を遊技盤上に設け、予め定められた遊技条件が満たされると電動入賞装置を一定時間連続して作動させ遊技客に有利を与えるようになっている。このため、遊技盤の裏面には前記機構板の他に電子回路基板を収納した基板ボックス等が固着されていて内枠体の重量が非常に重いものとなっており、前記外枠の腰板の上端面と内枠体の下端面とが圧接状態になっていてその開閉動作が著しく困難になっていた。
【０００４】
そこで、この問題を解決するために、実公平４−１３０２６号公報に腰板の上面にすべり金具を設けて、前面枠の開閉の際の摩擦抵抗を減少させると共に、前面枠及び腰板の破損を防止するようにしたものが開示されている。
【０００５】
【発明が解決しようとする課題】
しかしながら、前記公報のすべり金具は、平板をほぼＬ形に屈曲して形成され、腰板の後面側からビスにより取着している。このため、前面枠の度重なる開閉により前面側が浮き上がり、最終的にビスが緩んですべり金具がもぎ取られてしまい、安定した状態で使用できなくなるという問題があった。
【０００６】
本発明は上記のような問題点に鑑みてなされたもので、その目的とするところは、外枠に対する内枠体の開閉動作を安定した状態で円滑に、かつ確実に行うことができるパチンコ遊技機を提供しようとするものである。
【０００７】
【課題を解決するための手段】
上記した目的を達成するために、請求項１記載の発明は、前面下部に腰板が張設された外枠の一側に内枠体が開閉自在に装着され、前記内枠体を閉じた状態で該内枠体の下端面が前記腰板の上端面と重合するように構成されたパチンコ遊技機であって、前記腰板の上端面を跨ぐようにコ字形に形成したすべり部材を取付けたことを特徴とする。上記構成により、すべり部材が安定した状態で取着され、内枠体を開閉する際に該内枠体の下端面がすべり部材に接触して、外枠の前面下部に張られた腰板の上端面と内枠体の下端面との接触摩擦を軽減することができるため、外枠に対する内枠体の開閉動作を円滑に、かつ楽に行うことが可能となる。
【０００８】
請求項２記載の発明は、請求項１記載の発明において、前記内枠体の下端面に前記すべり部材と接触する当板を取付けたことを特徴とする。前記内枠体の開閉を円滑にする補助部材として当板を取付けることで、内枠体の下端面と腰板の上面との接触摩擦をより軽減することができ、内枠体をスムーズに開閉することができる。
【０００９】
請求項３記載の発明は、請求項１又は２記載の発明において、前記すべり部材は、腰板の上端面に添わせる水平板部と腰板の前後側を跨ぐように添わせる一対の挟持板部とにより断面コ字状に形成し、前記挟持板部及び水平板部にほぼ弧状に連続して膨出する畝状突部を形成したことを特徴とする。内枠体を開閉する際にすべり部材の畝状突部との接触より、接触面積を小さくして内枠体の下端面との接触摩擦をより軽減することができる。
【００１０】
請求項４記載の発明は、請求項２又は３記載の発明において、前記当板は、前記すべり部材が接触する接触板部と前記内枠体に取着する取付板部とによりＬ字状に形成したことを特徴とする。
【００１１】
請求項５記載の発明は、請求項１乃至４のいずれかに記載の発明において、前記すべり部材を覆うように前記腰板の前面に飾り部材を設けたことを特徴とする。すべり部材を飾り部材で覆うことにより見栄えをよくすることができる。好ましくは、前記飾り部材を着脱自在に設けるのがよい。
【００１２】
【発明の実施の形態】
次に、図面を参照して本発明の一実施の形態を説明する。図１はパチンコ遊技機の正面図、図２はパチンコ遊技機の裏面図、図３は透明板保持枠と打球供給皿を有する前面板及び余剰球受皿を有する前面下部板を取外した状態の斜視図、図４は内枠体を開放した状態の裏面斜視図である。パチンコ遊技機１は、縦長な方形状に枠組み形成される外枠２と、該外枠２の一側前面に上下ヒンジ機構３ａ，３ｂによって開閉自在に装着される内枠体４とを備えている。前記内枠体４の前面一側に多軸蝶番５により透明板保持枠６が開閉自在に軸支され、その下方に打球供給皿７を有する前面板８及び余剰球受皿９を有する前面下部板１０とが開閉自在に軸支されており、透明板保持枠６，打球供給皿７，余剰球受皿９は、全体が統一されたデザインで構成されている。また、前記余剰球受皿９の側方に位置して打球発射用の操作ハンドル１１が設けられている。
【００１３】
前記外枠２は、図３に示すように上下枠板１２，１３と左右枠板１４，１５とにより矩形に枠組され、その下部前面に補強用の腰板１６が張設されており、内枠体４を閉じた状態で該腰板１６の上端面と内枠体４の下端面とが重合するように構成されている。前記腰板１６はベニヤを積層圧着した合板からなり、図３に示すように上面にすべり部材１８を設けると共に、腰板１６の前面を被覆する飾り部材１７を取付けるための係合孔１９を該腰板１６のほぼ中央と両端近傍に貫設している。また、外枠２の右枠板１５内側面の上下位置には係止金具３２ａ，３２ｂが取付けられている。なお、外枠２は合成樹脂製または金属製であってもよい。
【００１４】
前記飾り部材１７は、合成樹脂により形成され、前記腰板１６の前面を覆う大きさで、かつ前記透明板保持枠６，打球供給皿７，余剰球受皿９のデザインに合せた装飾板部１７ａを有し、後面が開放した枠状に形成している。また装飾板部１７ａの後面で、かつ前記係合孔１９，１９と対峙する位置に弾性係止片２０ａを有する筒状の係止部２０を形成している。飾り部材１７は、図６に示すように前記係止部２０を前記係合孔１９，１９に押し込むことで前記弾性係止片２０ａの係止爪が腰板１６の後面で係合して簡単に取着することができる。前記飾り部材１７の取外しは、パチンコ遊技機１の後面側から前記弾性係止片２０ａの係合を解除して、係止部２０を前方に押し出すことで簡単に取外すことができる。
【００１５】
前記すべり部材１８は、金属製であり図５及び図６に示すように腰板１６の上端面に添わせる水平板部１８ａと腰板１６の前後側を跨ぐように添わせる一対の挟持板部１８ｂ，１８ｂとによりほぼ前後対称形の断面コ字状に形成されており、前記挟持板部１８ｂにはビス孔８３が形成されている。また、前記すべり部材１８は、前側の挟持板部１８ｂと水平板部１８ａと後側の挟持板部１８ｂに亘り、前後方向に沿って外方へほぼ弧状に膨出する畝状突部８４が連続して形成されている。前記挟持板部１８ｂ，１８ｂは、すべり部材１８が腰板１６に取着された際に前後方向にがたつかないように保持する長さが好ましい。
【００１６】
そして、前記すべり部材１８は、図６に示すように腰板１６の上面を跨いで腰板１６を抱持するようにして嵌め込まれ、後側の挟持板部１８ｂのビス挿通孔８３を介してビス８６を腰板１６の裏面にねじ込むことにより固定される。このとき、前側の挟持板部１８ｂは前記飾り部材１７によって隠蔽され、見栄えを損ねることはない。しかも、飾り部材１７ですべり部材１８を押えることになり、すべり部材１８の浮き上がりを阻止して取付状態を強固なものとしている。なお、すべり部材１８は、前側の挟持板部１８ｂのビス挿通孔８３を介してビス８６を腰板１６の前面にねじ込むことにより固定するようにしてもよい。
【００１７】
前記内枠体４は、鉄板等の金属板によって成形されており、図３及び図４に示すように上部に遊技盤２３が臨む開口窓３１が開設され、該開口窓３１の上方及び下方を板状部２１ａ，２１ｂとして額縁状に成形された主枠部２１と、該主枠部２１の裏面側にカシメ着され遊技盤２３が着脱可能に取付けられる遊技盤取付枠２２とで構成されている。前記遊技盤取付枠２２は、左右縦枠２２ａ，２２ｂ及び下部枠２２ｃにより上方が開放したコ字形としている。前記板状部２１ｂには、前記操作ハンドル１１の操作によりパチンコ球を遊技盤２３面へ打込む打球発射機構２４、遊技中大当り状態になった時などに後記する中・高音スピーカ５７と共に低音を発生させる低音スピーカ２６及び打球供給皿７から球抜きしたパチンコ球またはファール球等を余剰球受皿９に誘導する通路構成体２７等の遊技構成部品が集約して設けられる。更に、前記開口窓３１の上方の板状部２１ａに、横長に成形された状態表示基板２８が取付けられている。この状態表示基板２８の前面には、透明板保持枠６が開放したことをホールコンピュータ（図示せず）へ電気的に出力する扉開放スイッチ２９、及びエラー状態が生じたことをホールの係員に知らせる状態表示ランプ３０が設けられている。
【００１８】
また、内枠体４の下端面には前記すべり部材１８と対向位置して、前記すべり部材１８と接触して内枠体４の開閉を円滑にする補助部材として金属製の当板８５が設けられる。前記当板８５は、図５に示すように内枠体４の下端面に位置してすべり部材１８の畝状突部８４が下面に接触する接触板部８５ａと、該接触板部８５ａから略直角に折れ曲がり内枠体４の主枠部２１の後面に添わせて取着する取付板部８５ｂとによりＬ字状に形成されている。該当板８５は、図６に示すように内枠体４を閉じた状態において、前記すべり部材１８と接触板部８５ａとが互いに当接するように位置決めして、接触板部８５ａを内枠体４の下端面に密着させると共に、取付板部８５ｂを主枠部２１の後面に添わせ、ビス挿通孔８８を介してビス孔８９にビス９０を螺締することにより内枠体４に固定される。
【００１９】
前記内枠体４の裏面には、図２に示すように合成樹脂製の機構板３３が上下のヒンジ３４，３４を介して着脱及び開閉自在に設けられている。この機構板３３は、遊技盤２３の表示装置等の後面が臨む開口３５を有し、その開口３５の下方部に樋状の入賞球集合部３６が設けられている。また、機構板３３の裏面上部には貯留球タンク３７と、該貯留球タンク３７に貯留された球を下流側に整列しながら誘導する球誘導樋３８が設けられており、さらに球誘導樋３８の下流側には球圧を減衰する屈曲誘導樋３９を介してパチンコ球払出装置４０が着脱可能に設けられている。また、パチンコ球払出装置４０の下方には、払出されたパチンコ球を前記打球供給皿７に導く球排出通路４１が設けられ、前記通路構成体２７に連通するアウト球通路，球抜通路及び打球供給皿７の余剰球を余剰球受皿９に導く余剰球通路等が設けられている。また、機構板３３の裏面には、遊技内容を制御する電子回路基板等を収納した基板ボックス８１が設けられている。
【００２０】
前記内枠体４の軸支側前面には、図３に示すように透明板保持枠６を連結するための多軸蝶番５が設けられる。この多軸蝶番５は、二枚のリンク板を備えた二連二軸蝶番であって、図１２に示すように内枠体４側と透明板保持枠６側とにそれぞれ取付けられる支持部材４２ａ，４２ｂと、両支持部材４２ａ，４２ｂを連結する二枚のリンク板４３ａ，４３ｂとからなり、上下一対配設される。そして、前記上下リンク板４３ａ，４３ａを金属製の連結部材４４で連結し、透明板保持枠６側の上下支持部材４２ｂ，４２ｂを断面コ字形の取付板４５で連結して多軸蝶番５をユニット化しており、多軸蝶番５のみの交換を可能としている。前記取付板４５には、透明板保持枠６の装着部材６３と連係する係止杆４６が横架されている。
【００２１】
また、内枠体４の開放側に位置する縦枠２２ａに、内枠体４の施錠機構４７が組付けられている。さらに、内枠体４の前面側であり、その開放側に位置する側縁部分には、固定プレート４８を介して透明板保持枠６の施錠機構４９が組み付けられている。前記固定プレート４８には図１２に示すようにシリンダー錠５０が取付部材５１を介して固着されている。
【００２２】
前記透明板保持枠６は、図１に示すように内枠体４の上半部分を全幅に亘って覆う大きさに形成され、その中央部に遊技盤２３前面の遊技領域が視認可能な円形状の開口５２が形成される合成樹脂製の本体枠６ａと、該本体枠６ａの裏面側に装着される補強金属板６ｂとから構成されている。前記本体枠６ａは、飾り部材として前記シリンダー錠５０周辺部と対向し、鍵穴５３が臨む鍵挿通孔５４も含め一体に成形している。また、本体枠６ａは、透光性樹脂６ａ１と非透光性樹脂６ａ２を互いに重合して、図１１に示すように係止爪５５及びビス着により一体化して組付けられている。そして、前記開口５２の外周縁部を前側へ最も張り出させて、透光性樹脂６ａ１の部分と非透光性樹脂６ａ２の部分とを複雑に入り込ませてその外観が火山のようにデザイン化している。
【００２３】
前記補強金属板６ｂには、図１０に示すようにその開放側側辺に前記鍵挿通孔５４と対応して、前記シリンダー錠５０が貫通する貫通孔５６が開設されている。また、前記本体枠６ａとの間に位置して、遊技者にとって音響効果のある適宜位置に中・高音スピーカ５７を配設している。更には、図１１に示すように、前記透光性樹脂６ａ１の後面位置に照明具としてＬＥＤ５８を配設して、該ＬＥＤ５８の点灯により恰も火山が噴火し溶岩が流動するイメージとした電飾効果を発揮するようにしている。また、補強金属板６ｂの後面には、透明板として２枚のガラス板５９，５９を重合したガラス枠体６０が装填される保持溝枠６１が一体に設けられており、該保持溝枠６１は本体枠６ａの開口５２の上辺部を除く左右側辺部及び下側辺部を囲うようにしてコ字形に形成されている。そして、この保持溝枠６１の外側面上下に、前記施錠機構４９と係合するＬ型係止金具６２が設けられている。なお、透明板をガラス板５９としたが、合成樹脂製の透明板としてもよい。
【００２４】
前記補強金属板６ｂの軸支側上下部には、図３に示すように前記多軸蝶番５と連係する装着部材６３がビス着されている。各装着部材６３は、図１２に示すように補強金属板６ｂにビス止めされる支持部６５と、該支持部６５に上下方向へスライド自在に装着され、その上端に傾斜面６６ａが設けられた滑動子６６と、該滑動子６６を常に上方へ付勢するばね６７とからなり、前記支持部６５に前記係止杆４６が保持されるＵ字形溝６８が設けられている。そして、滑動子６６に前記係止杆４６を押し付けることで、前記傾斜面６６ａにより一旦滑動子６６がばね６７の付勢に抗して下動して前記各係止杆４６がＵ字形溝６８に嵌合する。このようにして、透明板保持枠６が多軸蝶番５を介して内枠体４に簡単に取付けられる。
【００２５】
上記構成の内枠体４を外枠２に軸支する前記上ヒンジ機構３ａは、図７に示すように外枠２の外側の上部隅部に取付けられる上部固定金具７２と、内枠体４の一側上部にビス着される上部可動金具７３とからなる。上部固定金具７２には、外枠２の上面端部から前方へ水平に突出する突出片７２ａが設けられ、この突出片７２ａの先端部に外側へ向かって開口する切欠き溝７４ａと連通する軸受孔７４が貫設されている。また、上部可動金具７３には、先端下面に前記軸受孔７４に嵌合する上ヒンジ軸７５が下向きに突設されている。前記上ヒンジ軸７５は、上部固定金具７２の軸受孔７４に嵌合する円形軸部７５ａと内枠体４をほぼ直角状に開放した状態で、前記切欠き溝７４ａに挿入できる幅に形成した扁平軸部７５ｂを有し、その円形軸部７５ａと扁平軸部７５ｂとの境界面が後方上から手前下へ向かう下向き傾斜面７５ｃとして形成されている。
【００２６】
一方、下ヒンジ機構３ｂは、図８に示すように外枠２内側の下部隅部に取付けられる下部固定金具７６と内枠体４の一側下部にビス着される下部可動金具７７とからなる。下部固定金具７６には、先端上面に下ヒンジ軸７８が上向きに突設され、下部可動金具７７には、前記下ヒンジ軸７８に嵌合する軸孔７９が貫設されている。
【００２７】
このように構成された上下ヒンジ機構３ａ，３ｂにおいて、外枠２に内枠体４を軸支するには、先ず下部可動金具７７の軸孔７９を下部固定金具４６の下ヒンジ軸７８に上方から嵌合させて連結し、次に、図９に示すように内枠体４を外枠２に対しほぼ直角状に開放した状態に位置させて、該内枠体４の上部可動金具７３を外枠２の上部固定金具７２に接近させ、上部可動金具７３の上ヒンジ軸７５の扁平軸部７５ｂを上部固定金具７２の突出片７２ａの切欠き溝７４ａに臨ませて内枠体４を外枠２に押し付ける。すると、上ヒンジ軸７５の傾斜面７５ｃが突出片７２ａと接触することによって一端透明板保持枠６が持ち上げられ、さらに内枠体４を押し込むことにより扁平軸部７５ｂが切欠き溝７４ａを通過して、図９実線に示すように円形軸部７５ａが上部固定金具７２の軸受孔７４に嵌合する。このように、重量感のある内枠体４を手で持ち上げることなく、上下ヒンジ機構３ａ，３ｂを支点にして外枠２にワンタッチで開閉自在に装着することができる。
【００２８】
上記構成からなるパチンコ遊技機によれば、内枠体４を開閉動作する際に内枠体４が重くて開放側に傾動しても、前記当板８５の接触板部８５ａがすべり部材１８の畝状突部８４のみに接触することになる。これによって、外枠２の腰板１６の上端面と内枠体４の下端面との重合部の接触摩擦を軽減することができ、外枠２に対する内枠体４の開閉動作を円滑に、かつ容易に行うことができる。このとき、すべり部材１８は腰板１６を跨いで抱持するように設けられていることから安定した状態で取着されており、例え内枠体４を乱暴に開閉してもすべり部材１８が破損または脱落することはなく、いつまでも内枠体４をスムーズに開閉させることができる。
【００２９】
また、すべり部材１８に畝状突部８４を形成することで、すべり部材１８を強度的にも強くすることができ、破損し難くしている。さらに、畝状突部８４を弧状に膨出することで、内枠体４を正規位置に誘導しやすくなり、しかも内枠体４との接触面積が小さくなるため接触抵抗が小さくなり開閉動作をより円滑にすることができる。また、すべり部材１８を対称形状とすることで、すべり部材１８を取付ける際に取着方向を気にすることがないため取付作業を容易とすることができ、さらに内枠体４と接触する畝状突部８４の前面側が万一摩耗して使用に支障をきたしたとしても、該すべり部材１８を前後反転して付替えて再使用することができる。
【００３０】
なお、本実施の形態ではすべり部材１８及び当板８５を金属製としたが、合成樹脂により形成してもよく、特にＡＢＳ，ナイロン等の耐衝撃に優れ強固で滑り易い素材が好ましい。また、すべり部材１８を内枠体４に、当板８５を外枠２の腰板１６にそれぞれ取付けるようにしてもよい。
【００３１】
【発明の効果】
以上説明したところから明らかなように、本発明によれば、前面下部に腰板が張設された外枠の一側に内枠体が開閉自在に装着され、前記内枠体を閉じた状態で該内枠体の下端面が前記腰板の上端面と重合するように構成されたパチンコ遊技機であって、前記腰板の上端面を跨ぐようにコ字形に形成したすべり部材を取付けたるようにしたものであるから、外枠に対する内枠体の開閉動作をいつまでも円滑に、かつ楽に行うことができる。
【図面の簡単な説明】
【図１】パチンコ遊技機の正面図である。
【図２】パチンコ遊技機の裏面図である。
【図３】透明板保持枠と打球供給皿を有する前面板及び余剰球受皿を有する前面下部板を取外した状態の斜視図である。
【図４】内枠体を開放した状態の裏面斜視図である。
【図５】すべり部材と当板を外枠及び内枠体から取外した状態の斜視図である。
【図６】すべり部材と当板の取付け部分の断面図である。
【図７】外枠と内枠体の上部ヒンジ機構部分の分解斜視図である。
【図８】外枠と内枠体の下部ヒンジ機構部分の分解斜視図である。
【図９】外枠と内枠体の上部ヒンジ機構部分の平面図である。
【図１０】透明板保持枠を一部分解して示す裏面斜視図である。
【図１１】透明板保持枠を閉めた状態を示すシリンダー錠部分の側面断面図である。
【図１２】多軸蝶番の斜視図である。
【符号の説明】
１　　　　　　　　パチンコ遊技機
２　　　　　　　　外枠
４　　　　　　　　内枠体
１６　　　　　　　腰板
１７　　　　　　　飾り部材
１８　　　　　　　すべり部材
１８ａ　　　　　　水平板部
１８ｂ　　　　　　挟持板部
８４　　　　　　　畝状突部
８５　　　　　　　当板
８５ａ　　　　　　接触板部
８５ｂ　　　　　　取付板部
【図１】
2004081606.tif 000003
【図２】
2004081606.tif 000004
【図３】
2004081606.tif 000005
【図４】
2004081606.tif 000006
【図５】
2004081606.tif 000007
【図６】
2004081606.tif 000008
【図７】
2004081606.tif 000009
【図８】
2004081606.tif 000010
【図９】
2004081606.tif 000011
【図１０】
2004081606.tif 000012
【図１１】
2004081606.tif 000013
【図１２】
2004081606.tif 000014